(57)【要約】【課題】  ゼッケンの上に乗せる鞍が馬体に対してずれ難く、且つ、ソフトでより一層馬体に馴染む、再生ポリエステル繊維製の競走馬調教用ゼッケン２０を提供する。【解決手段】  質量が４００乃至５００ｇ／ｍ2の再生ポリエステル繊維素材の布であって、両面が起毛処理された生地から左右本体部２１,２２が切断されて作成されており、右本体部２１及び左本体部２２の表面に各々番号布２９が取り付けられている競走馬調教用ゼッケン２０とする。【選択図】    図２
0003223400.tif 000002
【実用新案登録請求の範囲】
【請求項１】
質量が４００乃至５００ｇ／ｍ2の再生ポリエステル繊維素材の布であって、両面が起毛処理された生地から左右本体部が切断されて作成されており、右本体部及び左本体部の表面に各々番号布が取り付けられていることを特徴とする競走馬調教用ゼッケン。
【請求項２】
前記右本体部及び左本体部からなる本体部における後端近傍の裏面中央には、識別用装着具を固定するための面ファスナーを有することを特徴とする請求項１に記載した競走馬調教用ゼッケン。
【考案の詳細な説明】
【技術分野】
【０００１】
本考案は、競走馬の調教用ゼッケンに関するものである。
【背景技術】
【０００２】
競走馬には、調教が大切であり、競走馬は、通常トレーニングセンターで調教を受けている。例えば、日本中央競馬会の場合、美浦と栗東にトレーニングセンターがあり、所属する多くの競走馬の調教が実施されている。
【０００３】
これら競走馬の調教を行う際、調教を受ける各競走馬は、図１に示すように、競走馬調教用ゼッケン２０（以下単に「調教用ゼッケン」という。）が識別用装着具５１と共に装着される。
【０００４】
この調教用ゼッケンは、その馬に割り当てられた通し番号である識別番号が表示され、また、新馬、２〜３歳馬、古馬を区別するための色分けがなされ、調教中の馬を調教師や厩舎員、競馬関係者、報道関係者等が遠方から見ても各馬を識別することが可能となるようにされている。
【０００５】
また、競走馬の調教は、各馬共に、所定のメニューに従って所定の時間、ほぼ毎日の様に行われるものであり、調教用ゼッケンは馬の汗や跳ね上げる土などによって汚れ易く、クリーニングが必要となり、通常は一年以上使用するために耐久性も要求されている。
【０００６】
更に、調教中に余分な負担を馬に与えないようにする必要があり、本件出願人は、軽くて丈夫であり、色落ちの少ない再生ポリエステル繊維を用いた調教用ゼッケン（例えば特許文献１）として、再生ポリエステル繊維の糸の表面に鞍との摩擦抵抗を高めるための樹脂を付着させた繊維を用いたゼッケンを提案し、提供している。
【先行技術文献】
【特許文献】
【０００７】
【特許文献１】実用新案登録第３１５５９８０号公報
【考案の開示】
【考案が解決しようとする課題】
【０００８】
上記再生ポリエステル繊維を織った帆布を用いた調教用ゼッケンは、麻の帆布よりも汚れ難く、且つ、色落ちせず、また、軽くて丈夫な為、長く且つ日々使用する調教用ゼッケンには適するものである。
【０００９】
しかし、日々使用する調教用ゼッケンとしては、より馬に無駄な負担を与えることがなく、効率の良い調教が行えるゼッケンが求められている。
【００１０】
本考案は、このような要求に答え、より馬体に馴染むソフトな再生ポリエステル繊維製のゼッケンとするものである。
【課題を解決するための手段】
【００１１】
本考案に係る競走馬調教用ゼッケンは、質量が４００乃至５００ｇ／ｍ2の再生ポリエステル繊維素材の布であって、両面が起毛処理された生地から左右本体部が切断されて作成されており、右本体部及び左本体部の表面に各々番号布が取り付けられている競走馬調教用ゼッケンとするものである。
【００１２】
また、前記右本体部及び左本体部からなる本体部における後端近傍の裏面中央には、識別用装着具を固定するための面ファスナーを有する競走馬調教用ゼッケンとすることもある。
【考案の効果】
【００１３】
本考案は、質量が４００乃至５００ｇ／ｍ2の再生ポリエステル繊維布を用いるため、優れた耐久性を有しつつ、軽量のゼッケンとして馬体への負担を軽くすることができる。
【００１４】
更に、両面が起毛処理された生地は、柔軟性を有し且つ摩擦係数が大きくなるため、馬の背に馴染み易く、馬への無駄な負担を少なくすることができ、且つ、裏面の起毛によってゼッケンが馬体の背に対してずれる虞を小さくし、表面の起毛によって鞍がゼッケンに対してずれる虞を小さくしており、両面の起毛によって鞍がゼッケンに対して、ゼッケンが馬体に対して、ずれることを防止し、ひいては鞍が馬体に対してずれる虞を小さくすることにより、騎乗姿勢を安定させて効果的な調教を行うことを容易とすることができるものである。
【００１５】
また、識別用装着具を固定するための面ファスナーを、左右からなる本体部の後端近傍の裏面中央に有する調教用ゼッケンとすれば、識別用装着具を容易且つ確実に調教用ゼッケンに取付け、調教に関するデータを電子計測によって集計することを極めて容易に行うことができ、効果的な調教を行うことができる。
【図面の簡単な説明】
【００１６】
【図１】本考案に係る調教用ゼッケンを競馬馬に取付けた状態の一例を示す図。
【図２】本考案に係る調教用ゼッケンの一例の表面側を示す図。
【図３】本考案に係る調教用ゼッケンの一例の裏面側を示す図。
【図４】本考案に係る調教用ゼッケンに取付ける識別用装着具の一例を示す図。
【図５】本考案に係る調教用ゼッケンの一例の分解斜視図。
【図６】本考案に係る調教用ゼッケンの本体を生地から裁断する一例を示す図。
【図７】本考案に係る調教用ゼッケンの生地の処理手順の一例を示すフローチャート図。
【図８】本考案に係る調教用ゼッケンの生地における起毛処理による摩擦係数の変化を示す図表。
【考案を実施するための形態】
【００１７】
本考案に係る競走馬の調教用ゼッケンは、図１に示すように、馬体の背に載せられ、この調教用ゼッケン２０の上に鞍４１を載せ、腹帯４５により固定されるものである。そして、調教用ゼッケン２０の後方には馬体の識別用装着具５１を馬の背に載せるようにして取付けるものである。
【００１８】
この調教用ゼッケン２０を馬体に装着するに際しては、調教用ゼッケン２０を馬体の背に直接載せる場合のほか、調教用ゼッケン２０の下に毛布を敷くようにしてゼッケン２０を載せる場合、毛布と合わせて毛布の上にスポンジシートやフェルトを載せてゼッケン２０を被せるように載せる場合、等がある。
【００１９】
この調教用ゼッケン２０は、再生ポリエステル繊維の糸から成る帆布を用いた右本体部２１及び左本体部２２を備えている。そして、図２及び図３に示すように、右本体部２１と左本体部２２の背部を突き合わせて縫合し、図２に示した様に、一体とした右本体部２１と左本体部２２との接合部を背テープ２５を用いて補強しているものである。
【００２０】
尚、背テープ２５の両端の端部２６は、図３に示したように、調教用ゼッケン２０の裏面に折り込んでいるものである。
【００２１】
更に、調教用ゼッケン２０の表面には、馬体の特定を行うために各馬に与えられる通し番号の番号布２９が取り付けられる。また、馬名を表記した名札を入れる名札入れ３５も取り付けられている。
【００２２】
また、右本体部２１及び左本体部２２の周囲は、折り返しを施して補強をしているものであり、両本体部２１、２２の背部を突き合わせて縫合し、一体としているものである。
【００２３】
そして、この調教用ゼッケン２０の裏面には、図３に示したように、調教用ゼッケン２０の後端近傍中央に第１の面ファスナー３１と、この第１の面ファスナー３１に重ねるようにした第２の面ファスナー３２とを備えているものである。
【００２４】
この第１の面ファスナー３１及び第２の面ファスナー３２は、調教用ゼッケン２０の後方に識別用装着具５１を取り付けるためのものである。
【００２５】
そして、この第１の面ファスナー３１及び第２の面ファスナー３２は、例えば第１の面ファスナー３１をオスの面ファスナーとして全体を調教用ゼッケン２０に取り付ける。更に、第２の面ファスナー３２をメスの面ファスナーとして第１の面ファスナー３１の前端縁に第２の面ファスナー３２の前端縁を合わせて両前端位置付近を縫い付けることにより、第１の面ファスナー３１の後方部分と第２の面ファスナー３２の後方部分を開閉自在として重ねているものである。
【００２６】
この第１及び第２の面ファスナー３１、３２に取付ける識別用装着具５１は、図４に示すように、矩形形状とされ、矩形の長辺部分に取付け部５５を有する。この取付け部５５は、第１の面ファスナー３１及び第２の面ファスナー３２に挟まれて識別用装着具５１を調教用ゼッケン２０に固定するものである。
【００２７】
即ち、取付け部５５とされる識別用装着具５１の上面には第１の面ファスナー３１と着脱自在な面ファスナーが取り付けられ、取付け部５５とされる識別用装着具５１の下面には第２の面ファスナー３２と着脱自在な面ファスナーが取り付けられている。
【００２８】
従って、識別用装着具５１の取付け部５５とした両面の各面ファスナーにより、識別用装着具５１を着脱容易にして且つ確実に調教用ゼッケン２０に取り付けることができるものである。
【００２９】
また、識別用装着具５１は、矩形の本体部５３における取付け部５５を除く部分にケース部５７を備えており、このケース部５７にＩＣタグ５９を収納保持できるようにしている。
【００３０】
従って、ＩＣタグ５９をケース部５７に収納した識別用装着具５１を調教用ゼッケン２０に装着しておき、計測用センサー等でＩＣタグ５９が所定位置を通過したときの信号を受信することにより、調教時の所要タイムや移動距離等、各馬体個々の種々のデータを計測することができる。このため、この計測値を電子的に記録することによって調教の状態を極めて容易に理解することができ、各馬体の調子に合致した調教を実施することが容易に可能となる。
【００３１】
そして、この調教用ゼッケン２０は、図５に示すように、周囲を多少湾曲させた曲線により囲まれる略長方形の右本体部２１及び左本体部２２を再生ポリエステル繊維製の生地１０から切り取り、この切り取った再生ポリエステル繊維製の布地の一辺を相互に突き合わせるようにして接合し、背テープ２５を用いて補強しているものである。
【００３２】
また、別途、数字形状に布地を切り抜いた番号布２９を右本体部２１及び左本体部２２に各々縫合又は接着することにより固定すると共に、例えば左本体部２２の一部に名札入れ３５が取り付けられている。
【００３３】
更に、一体とされた右本体部２１及び左本体部２２の裏面後端近傍中央に第１の面ファスナー３１を取り付け、第１の面ファスナー３１に第２の面ファスナー３２を重ねるようにして第２の面ファスナー３２の前端縁を第１の面ファスナー３１の前端縁に縫合固定しているものである。
【００３４】
そして、この右本体部２１及び左本体部２２は、図６に示すように、再生ポリエステル繊維の糸を織った帆布の生地１０から裁断されるものである。尚、右本体部２１及び左本体部２２を生地１０から個別に裁断した後に右本体部２１及び左本体部２２を一体とする場合のみでなく、右本体部２１及び左本体部２２の両本体部２１、２２を一体とした左右本体部の形状を生地１０から裁断して調教用ゼッケン２０とすることもある。
【００３５】
また、この生地１０は、質量が４６０ｇ／ｍ2程度の再生ポリエステル繊維の布地を用いるものとし、図７に示すように、糊抜きやヒートセットなどの前処理（Ｓ１１０）を行った後、起毛表処理（Ｓ１２０）として布地の表側にエメリー起毛などの起毛処理を施す。更に起毛裏処理（Ｓ１３０）として布地の裏側にも表側と同様の起毛処理を施すことにより、両面に起毛処理を施して布地に柔軟性を与えるものである。
【００３６】
そして、両面に起毛処理を施した後、毛羽落とし（Ｓ１４０）を行って染色（Ｓ１５０）、固着（Ｓ１６０）、洗い（Ｓ１７０）により色付けし、仕上げ処理（Ｓ１８０）を行って検査（Ｓ１９０）を行うものである。
【００３７】
尚、染色（Ｓ１５０）、固着（Ｓ１６０）、洗い（Ｓ１７０）の処理は、複数回繰り返すこともある。
【００３８】
そして、検査（Ｓ１９０）により加工欠点や織欠点等の欠陥が生じていない布地を調教用ゼッケン２０製造用の生地１０とし、この生地１０を裁断することにより調教用ゼッケン２０を作成するものである。
【００３９】
尚、この再生ポリエステル繊維の布地である生地１０は、両面の起毛処理により、質量を３％程度減少させるようにして生地１０に柔軟性を与えたとき、図８に示すように、最大摩擦力はタテが約２０％、ヨコが約４％増加し、動摩擦係数はタテが約２０％、ヨコが約３％増加した。
【００４０】
この様に、両面に起毛処理を施した再生ポリエステル繊維の布地は、丈夫で退色性が高く、過酷な使用を行っても長期間の使用に耐えることができ、且つ、柔軟性を備えて馬体への負担を軽減し、更に、表裏共に摩擦係数を高めることができるものである。
【００４１】
従って、この調教用ゼッケン２０が馬体の背からずれ難く、また、調教用ゼッケン２０の上に載せる鞍４１もずれ難くなり、安定した騎乗が可能となって馬体に負担をかけずに効果的な調教を容易かつ的確に行うことができる調教用ゼッケン２０とすることができるものである。
【００４２】
尚、生地１０は、質量が４６０ｇ／ｍ2のものに限ることなく、４００ｇ／ｍ2乃至５００ｇ／ｍ2程度とすることにより、馬体に負担をかけることがなく、また、長期の使用に耐える充分な耐久性を持たせることができる。
【産業上の利用可能性】
【００４３】
この様に、本考案に係る調教用ゼッケン２０は、競走馬の調教に際し、馬体に負担をかけずに調教を容易かつ的確に行うことができるものである。
【符号の説明】
【００４４】
１０  生地
２０  調教用ゼッケン                ２１  右本体
２２  左本体                        ２５  背テープ
２６  端部                          ２９  番号布
３１  第１の面ファスナー            ３２  第２の面ファスナー
３５  名札入れ
４１  鞍                            ４５  腹帯
５１  識別用装着具
５３  本体部                        ５５  取付け部
５７  ケース部                      ５９  ＩＣタグ
【図１】
0003223400.tif 000003
【図２】
0003223400.tif 000004
【図３】
0003223400.tif 000005
【図４】
0003223400.tif 000006
【図５】
0003223400.tif 000007
【図６】
0003223400.tif 000008
【図７】
0003223400.tif 000009
【図８】
0003223400.tif 000010